(57)【要約】［課題］  奏者が唄口に唇を当てる事が可能で、防音効果のあるフルート用の防音ケースを提供し、前記防音ケースを利用したフルートの防音方法を提供する。［解決手段］  ケース頭部１に吹奏口２を設ける事により、頭部管４も含むフルートＡ全体を囲うフルート用の防音ケースＢを製作する。前記防音ケースＢに聴音具Ｃを接続したものをフルートＡに装着し、奏者Ｄが聴音具Ｃを着用してフルートＡを演奏するか、あるいは、前記防音ケースＢに集音マイク６を装備したものをフルートＡに装着し、オーディオ機器のアンプ又はレシーバーを利用し、奏者Ｄがイヤホーン、ヘッドホーンを着用してフルートＡを演奏する。【選択図】    図１
2004309995.tif 000002
【特許請求の範囲】
【請求項１】
ケース頭部（１）に吹奏口（２）を設ける事により、唄口（３）を有する頭部管（４）も含めたフルート（Ａ）全体を囲う事が可能なフルート用の防音ケース（Ｂ）。及び前記防音ケース（Ｂ）をフルート（Ａ）に装着しして演奏する、フルート（Ａ）の防音方法。
【請求項２】
上記請求項１記載の防音ケース（Ｂ）に聴音具（Ｃ）の導管（５）を接続したものをフルート（Ａ）に装着し、奏者（Ｄ）が聴音具（Ｃ）を着用してフルート（Ａ）を演奏するか、
あるいは、上記防音ケース（Ｂ）に集音マイク（６）を装備したものをフルート（Ａ）に装着し、集音マイク（６）が集める音をアンプ又はレシーバーに受信させ、奏者（Ｄ）が着用するイヤホーン、ヘッドホーンを前記のアンプ又はレシーバーに接続してフルート（Ａ）を演奏すると、周囲には防音ケース（Ｂ）により遮音される小さな音しか聴こえないが、奏者（Ｄ）には大きな音が聴こえる様にする事による、先述防音ケース（Ｂ）を利用したフルート（Ａ）の防音方法。
【請求項３】
先述請求項１記載の防音ケース（Ｂ）を構成するケース頭部（１）とケース胴部（７）の内、ケース頭部（１）を独立させて製作し、図２に示す様に、頭部管（２３）を囲う吹奏口（３０）を設けた頭部防音ケース（Ｅ）。及び、前記頭部防音ケースＥに聴音具（Ｃ）の導管（２６）を接続したものをフルートＡの頭部管（２３）に装着し、奏者（Ｄ）が聴音具（Ｃ）を着用して演奏するか、あるいは前記頭部防音ケース（Ｅ）に集音マイク（２４）を装備したものを頭部管（２３）に装着し、奏者（Ｄ）が着用するイヤホーン・ヘッドホーンをアンプ又はレシーバーに接続し、集音マイク（２４）が集音したものをアンプ又はレシーバーバーに受信させる様にして奏者（Ｄ）が演奏すると、周囲に拡がるフルート（Ａ）の音よりも大きな音を奏者（Ｄ）が聴ける様にする。吹奏口（３０）を設けた頭部防音ケース（Ｅ）を利用したフルート（Ａ）の防音方法。
【発明の詳細な説明】
【０００１】
［発明の属する分野］
本発明は、和楽器、洋楽器の区別をしない、すべての横笛、すなわちフルート用の防音ケースの構造とフルートの防音方法に関する。
【０００２】
［従来の技術］
従来の技術として、特開平５−２１４５５９の管楽器用の防音装置がある。
前記はクラリネットやサックスフォーン用の防音装置であり、トーンホールの明いている胴部管やベルを防音ケースの中に設置し、リードを取り付けた唄口（マウスピース）を防音ケースの外に出して楽器を演奏した時、トーンホールやベルから出る音を防音ケースで遮断して、直接的に周囲に拡がらない様にする装置である。
【０００３】
次に、すで出願されいる実用新案、実願２００２−５９９０の弦楽器用の防音防音装置がある。前記は、弦楽器の表板に設けられた響孔を蓋う防振具に聴音具の導管を接続したもので、弦楽器に防振具を装着し、奏者が聴音具を着用して演奏すると、周囲には響孔が蓋われた小さい音しか聴こえないが、奏者には大きな音が聴こえる様にする装置である。
【０００４】
次に、トランペット等の金管楽器のベルの中に差し込んで使用する、略円錐台形の弱音器に集音マイクを内蔵させたものがあり、集音マイクが集めた音をアンプ又はレシーバーに受信させ、奏者はイヤホーン、ヘッドホーンから大きい音として聴く事が可能であるが、周囲には金管楽器に弱音器を装着した小さい音しか聴こえない様にする装置がある。
【０００５】
［発明が解決しようとする課題］
従来の技術の内、クラリネットやサックスフォーン用の防音装置の構造を応用してフルートに装着可能な形状のものを製作し、フルートの唄口を有する頭部管を防音ケースの外に出す様に装着してフルートを演奏すると、トーンホールの明いた胴部管、足部管から周囲に拡がる音は防音する事が出来ても、唄口の部分で発生した音は、そのまま周囲に拡がってしまうので、ほんの少しの防音効果しか得らないという問題がある。
それなら、フルート全体を囲ってしまえば良いと、すぐに思いつくが、そうすると今度は奏者が唄口に唇を当てる事が不可能になり、演奏が出来なくなる。
【０００６】
次に、先述実用新案の弦楽器の響孔を蓋う、聴音具の導管に接続された防振具や、集音マイクを内蔵した金管楽器の弱音器は、それらをフルートに装着する事は、形状的に不可能であると言う問題点がある。
【０００７】
本発明は、上記の問題点を考慮に入れてなされたものであり、奏者が唄口に唇を当てる事が可能で、防音効果のあるフルート用の防音ケースを提供する事と、前記防音ケースを利用した防音方法を提供する事を目的とする。
【０００８】
［課題を解決するための手段］
上記目的を達成するために、本発明によるフルート用の防音ケースにおいては、ケース頭部に吹奏口を設け、頭部管も含めてフルート全体を囲う事が可能な防音ケースを製作し、前記の様に製作された防音ケースをフルートに装着した状態で演奏する。
【０００９】
上記の様に製作した防音ケースに聴音具の導管を接続したものをフルートに装着して、奏者が聴音具を着用してフルートを演奏するか、
あるいは、上記防音ケースに集音マイクを装備したものをフルートに装着し、集音マイクが集める音をアンプ又はレシーバーに受信させ、奏者が着用するイヤホーン・ヘッドホーンを前記アンプ又はレシーバーに接続してフルートを演奏する。
【００１０】
先述のフルート用の防音ケースを構成するケース頭部を、ケース胴部とは別に独立させた、吹奏口を設けた頭部防音ケースを製作する。前記頭部防音ケースに聴音具を接続したものをフルートに装着し、奏者が聴音具を着用してフルートを演奏するか、又は前記頭部防音ケースに集音マイクを装備したものをフルート頭部管に装着し、アンプ又はレシーバーに集音マイクの音を受信させ、奏者が着用するイヤホーン・ヘッドホーンをアンプ又はレシーバーに接続してフルートを演奏する。集音マイクは、長い接続コードを必要とすもの、ワイヤーレスのものと、どちらでも良い。
【００１１】
［発明の実施の形態］
発明の実施の形態を実施例にもとづき図面を参照して説明する。
図１は、本発明によるフルート用の防音ケースＢと、前記防音ケースＢに聴音具Ｃを接続した斜視図である。先ず、防音ケースＢについて説明する。フルート用の防音ケースＢはケース頭部１とケース胴部７との構成で形成されている。
先述の公開特許と同様にして胴部管９、足部管１０を囲うケース胴部７には、フルートＡを手に持つために手を差し入れる挿入口１１を設けているが、その他に唄口３を有する頭部管４を囲うケース頭部１には、奏者Ｄが唄口３に直に唇を当てて息を吹き込める様に吹奏口２を設け、フルートＡ全体を囲う事が可能なフルート用の防音ケースＢを製作する。
細長いフルートＡに防音ケースＢを着脱し易くするたに、防音ケースＢを上下に分けて製作したものを、開閉可能にして組み立てると良い。
フルートＡを、上下から挟んで防音ケースＢを装着したら、防音ケースＢごとフルートＡを持ち上げ構えた時、防音ケースＢだけが空転せぬ様、輪状のバンド１２又は留め金等を用い、フルートＡを防音ケースＢの上下で確実に挟む事。
防音ケースＢを製作する際、重量と耐久性を考慮に入れると、発泡スティロールやスポンジ等の軽い防音材１３に軽い金属や合生樹脂の薄い外被１４を重ねて防音ケースＢを製作すると良い。吹奏口２はアーチ状の内側を空洞にして形成し、奏者Ｄが唄口３に唇を当てた時、上唇の周囲が接する吹奏口２接触面２ａを、人の平均的な上唇の周囲の形状に対して均一的に接する様、シリコン等の柔らかい物で形成すると奏者Ｄが唄口３に唇を当てた時、個人差のある上唇の周囲の形状に対応する様に接触面２ａが変形し密着する。吹奏口２の上下の向きを調整するには、フルートＡを横軸として防音ケースＢを上下に回転させて行うと良い。
フルートＡは、奏者Ｄが唄口３に息を吹き込み、息の半分が唄口３の中に入り半分が外に出る時に音を発するのである。それ故、ケース頭部１の奥行きが小さいと、外に出た半分の息がケース頭部４の内側奥に当たり反射して、後続の息の流れを乱して、音を出にくくするので、ケース頭部１の奥行きを大きく取る事。
又、足部管１０の開口部１０ａと防音ケースＢ右側の側板１６が接していると最低音が出しにくいか、音程が狂うので、両者の間隔を適度に明ける事と、トーンホール８を開閉するため、ケース胴部７内で指を動かす事を考慮に入れ、ケーース胴部７内を充分に広くする必要がある。
ケース頭部１には、通気孔を兼ねた通音孔１７を設け、通音孔１７の外側に集音口１５を装着し、集音口１５の開口部１５ａを奏者Ｄの方に向けておくと、奏者Ｄが次から次へと大量の息を唄口３に吹き込んでも、先述の通音孔１７を経て集音口１５の開口部１５ａからケース頭部１内の空気と、発せられた音が出て来るので、ケース頭部１内に送り込まれる息、すなわち空気の出口が無いために、吹きにくくなる事は無く、開口部１５ａから出る音を奏者Ｄは間近で聴ける。
上記の様に製作された防音ケースＢをフルートＡに装着して演奏すると、フルートＡ全体から発する音が、直接的に周囲に大きく拡がる事を防音ケースＢが防ぎ、周囲の者へは、ケース胴部７の挿入口１１と奏者Ｄの腕との隙間と、集音口１５の開口部１５ａから出る音が小さく聴こえる。
奏者Ｄは、フルートＡに装着した防音ケースＢを手にしているので、周囲の者よりは、大きな音として聴く事が出来る。
以上が本発明によるフルート用の防音ケースＢと、前記防音ケースＢを装着するフルートＡの防音方法である。
【００１２】
先述の防音ケースＢに聴音具Ｃの導管５を接続したものをフルートＡに装着し奏者Ｄが聴音具Ｃを着用してフルートＡを演奏する防音方法について説明する。
聴音具Ｃは、中が空洞になったカップ状の共鳴部１８に導管５の一方を接続して、湾曲した板バネの両端に前記導管５を接続した共鳴部１８を取り付けたもので、奏者Ｄが前記聴音具Ｃを頭に乗せて、導管５のもう一方の接続先から入って来る防音ケースＢ内の音を、左右の共鳴部１８から聴く器具である。
上記の聴音具Ｃの二本の導管５を二股アダプター１９を利用して一本にしたものを先述防音ケースＢのケース頭部１に装着された集音口１５の開口部１５ａに接続した防音ケースＢをフルートＡに装着してフルートＡを演奏すると、周囲には、フルートＡから発せられた音が直接的に周囲に拡がる事を、防音ケースＢににより防げられた、小さい音しか聴こえないが、奏者Ｄは、聴音具Ｃにより防音ケースＢ内の音を普段よりも大きい音として聴く事になる。
上記の防音方法で、奏者Ｄに聴える音が大きすぎる場合は、図中二点鎖線に示す様に、通気性のあるフェルトやスポンジを薄い板状にした弱音板２０で通音孔１７をケース頭部１の内側から蓋う様にするか、あるいは、聴音具Ｃの共鳴部１８の中に前記の弱音板２０を入れると良い。
次に先述の防音ケースＢに集音マイク６を装備させる方法について説明する。
図中二点鎖線に示す集音マイク６をケース頭部１内に装備し、集音マイク６が集音したものを、オーディオ機器のアンプ又はレシーバーに受信させるのであるが、集音マイク６がワイヤーレスの場合は、接続コード２１を短く切ったものをアンテナ替りにする事は周知の通りである。
集音マイク６を、ケース頭部１内に装備した防音ケースＢをフルートＡに装着し、奏者Ｄが着用するイヤホーン・ヘッドホーンを先述のアンプ又はレシーバーに接続してフルートＡを演奏すると、周囲には、フルートＡから発せられた音が直接的に周囲に拡がる事を、防音ケースＢにより防げられた、小さい音しか聴こえないが、奏者Ｄは、イヤホーン・ヘッドホーンから防音ケースＢ内の音を大きな音として聴く事が出来る。
前記では集音マイク６をケース頭部１内に装備する様にしているが、集音マイイク６を集音口１５の開口部１５ａ内に挿入した場合でも、開口部１５ａを密封せず、次から次へとケース頭部１内に吹き込まれる息、すなわち空気の流出を防げない工夫を設すならば、集音マイク６を前記開口部１５ａ内に挿入して装備しても良い。
以上が、本発明によるフルート用の防音ケースＢに聴音具Ｃの導管５を接続ししたものをフルートＡに装着して演奏するか、あるいは、前記防音ケースＢに集音マイク６を装備させたものをフルートＡに装着して演奏する、フルートＡの防音方法である。図１に示す集音マイク６は略円柱形をしているが、必ずしも略円柱形でなくとも良く、集音マイク６の設置位置は、ケース頭部１内の音を良く集音すれば、図示している所とは別の位置でも良い。
【００１３】
フルート用の防音ケースＢを構成するケース頭部１をケース胴部７とは別に製作し、図２に示す吹奏口３０を設けた頭部防音ケースＥに聴音具Ｃを接続するか、又は集音マイク２４を装備させたものをフルートＡの頭部管２３に装着して演奏するフルートＡの防音方法について説明する。
図２に示す頭部防音ケースＥは、図１に示す防音ケースＢ内でケース頭部１とケース胴部７を区分していた仕切板２２が、今度は防音ケースＢの側板１６と同じ耐久性を有する様に、外に出る側に図１中に二点鎖線に示す様に外被１４を重ねて、図２に示す様に独立した頭部防音ケースＥとして製作する。
上記の様に製作された頭部防音ケースＥの集音口２５の開口部２５ａに聴音具Ｃの二本の導管２６を二股アダプター３１を利用して一本にしたものを接続し、フルートＡの頭部管２３に前記頭防音ケースＥを装着して奏者Ｄが聴音具Ｃを着用してフルートＡを演奏するか、あるいは頭部防音ケースＥに集音マイク２４を装備してフルートＡの頭部管２３に装着し、奏者Ｄが着用するイヤホーン又はヘッドホーンを集音マイク２４が集音した音を受信するアンプ、又はレシーバーに接続してフルートＡを演奏すると奏者Ｄは頭部防音ケースＥ内の唄口２７で発せられた音を聴音具Ｃ又はイヤホーン、ヘッドホーンから大きな音として聴く事が出来る。周囲には、フルートＡが発する音の内、トーンホール２８の明いている胴部管２９、足部管３０から出る音が直接的に周囲に拡がって聴こえ、図１中のフルートＡ全体を囲う防音ケースＢをフルートＡに装着して演奏した場合と比べると、大きく聴こえるが、フルートＡに何も装着しないで演奏した場合と比べると、図２の唄口２７から出る音が直接的に周囲に拡がらない分だけ小さくなる。
前記の防音方法は図１のフルートＡ全体を囲う防音ケースＢに聴音具Ｃを接続するか、あるいは、集音マイク６を装備させる、先述請求項２と同じ方法であるが、周囲に聴こえる音の大きさは、図２に示す頭部防音ケースＥを用いた方がトーンホール２８の明いた胴部管２９、足部管３０から出る音が直接的に周囲に拡がるので、その分だけ大きく聴こえてしう。しかし、前記頭部防音ケースＥには、図１に示す防音ケースＢのケース胴部７が無いので、フルートＡを手に持つ時に挿入口１１から手を差し込むと言うわずらわしさが無い。又、夏季の常音下で防音ケースＢを装着してフルートＡを演奏するとケース胴部７内が蒸し暑くなり、手全体に汗をかいて、フルートＡを持ちにくく、演奏しにくくなるが、図２に示す頭部防音ケースＥを使用した場合は、先述の様に図１に示すケース胴部７が無いので、前記の問題を軽減出来る。
【００１４】
［発明の効果］
本発明は、以上説明した様に構成されているので、以下に記載される様な効果を奏する。
【００１５】
ケース頭部１に吹奏口２を設ける事により、トーンホール８の明いた胴部管９、足部管１０だけでなく、唄口３の有る頭部管４も含めたフルートＡ全体を囲う事が可能なフルート用の防音ケースＢを提供し、前記防音ケースＢをフルートＡに装着して演奏すると、フルートＡ全体から出る音が、直接的に周囲に拡がる事を防ぎ、周囲には、小さい音しか聴こえない様にする。
【００１６】
上記の防音ケースＢに聴音具Ｃの導管５を接続するか、あるいは、集音マイク６を装備したものをフルートＡに装着し、奏者Ｄが聴音具Ｃ又はイヤホーン・ヘッドホーンを着用して演奏すると、奏者Ｄは防音ケースＢ内の音を普段より大きく聴く事が出来る。普段より大きく聴こえると、奏者Ｄは自然と小さく吹く様になり、防音ケースＢが遮音する事に併わせ、奏者Ｄが小さく吹くので、周囲には防音ケースＢだけをフルートＡに装着して演奏した時よりも小さい音で聴こえる様になる。
【００１７】
独立させた頭部防音ケースＥに聴音具Ｃを接続するか、あるいは集音マイク２４を装備したものをフルートＡ頭部管２３に装着し、奏者Ｄが聴音具Ｃやイヤホーン、ヘッドホーンを着用して演奏すると、唄口２７の所で発せられた音を普段よりも大き音として聴く事が出来る。大きく聴こえると、奏者Ｄは自然と普段より小さく吹く様になるため、トーンホーン２８の明いた胴部管２９、足部管３０から出る音も小さくなるので、フルートＡに何も装置しないで演奏した時と比べると、周囲に拡がる音は小さくなり、フルートＡ全体を囲わなくても防音効果を得る事が出来る。
【００１８】
本発明による上記の防音方法の内、防音ケースＢ内、頭部防音ケースＥ内の音を聴音具Ｃ又はイヤホーン・ヘッドホーンで聴く事は、防音効果を得るための他に、他の者が演奏する音が聴こえる場所や、その他の雑音が聴こえる場所でフルートＡを練習する際、奏者Ｄ本人の出す音に集中するためにも役立つ。
【図面の簡単な説明】
【図１】聴音具を接続した防音ケースをフルートに装着した斜視図。
【図２】聴音具を接続した頭部防音ケースをフルートに装着した斜視図。
【符号の説明】
Ａ  フルート、  Ｂ  防音ケース、  Ｃ  聴音具、  Ｄ  奏者、  Ｅ  頭部防音ケース、
１  ケース頭部    ２、３０  吹奏口    ３、２７  唄口
４、２３  頭部管    ５、２６  導管    ６、２４  集音マイク
７  ケース胴部    ８、２８  トーンホール    ９、２９  胴部管
１０、３０  足部管    １１  挿入口    １２  バンド    １３  防音材
１４  外被    １５、２５  集音口    １６  側板    １７  通音孔
１８  共鳴部    １９、３１  二股アダプター    ２０  弱音板
２１  接続コード    ２２  仕切り板
【図１】
2004309995.tif 000003
【図２】
2004309995.tif 000004